(57)【要約】  【課題】  広範囲な敷地内における多数建物内各部屋のエネルギー状況を把握できるようにして、きめ細やかなエネルギー管理を実現するようなエネルギー管理システムを提供するものである。  【解決手段】  監視装置１が遠隔地のセンサ装置５と通信してエネルギー管理を行うエネルギー管理システム１００であって、プロトコル変換機能付サーバ装置３は、マイクロＬＡＮ回線４を介して複数のセンサ装置５からデータを収集して帳票形式および／またはグラフ形式を含むＷｅｂページデータを生成し、監視装置１からのリクエストに応じてＷｅｂページデータをＬＡＮ回線２を介して送信するようなエネルギー管理システムとした。【選択図】  図１
2005073415.tif 000002
【特許請求の範囲】
【請求項１】
監視装置が遠隔地のセンサ装置と通信してエネルギー管理を行うエネルギー管理システムであって、
監視装置に接続される基幹通信回線と、
基幹通信回線に接続されるプロトコル変換機能付サーバ装置と、
プロトコル変換機能付サーバ装置に接続される分岐通信回線と、
分岐通信回線に接続されるセンサ装置と、
を備え、
プロトコル変換機能付サーバ装置は、分岐通信回線を介してセンサ装置からデータを収集して帳票形式および／またはグラフ形式を含むＷｅｂページデータを生成し、監視装置からのリクエストに応じてＷｅｂページデータを基幹通信回線を介して送信することを特徴とするエネルギー管理システム。
【請求項２】
請求項１記載のエネルギー管理システムにおいて、
前記センサ装置は電圧、電流、電力または電力量にかかるデータを出力するセンサ装置であることを特徴とするエネルギー管理システム。
【請求項３】
請求項２に記載のエネルギー管理システムにおいて、
前記Ｗｅｂページデータは、電気エネルギー使用量および／または電気エネルギーに関する評価を示すデータを含むことを特徴とするエネルギー管理システム。
【請求項４】
請求項１〜請求項３の何れか一項に記載のエネルギー管理システムにおいて、
前記センサ装置は温度または室温に係るデータを出力するセンサ装置であることを特徴とするエネルギー管理システム。
【請求項５】
請求項４に記載のエネルギー管理システムにおいて、
前記Ｗｅｂページデータは、温度または室温を示すデータを含むことを特徴とするエネルギー管理システム。
【請求項６】
請求項１〜請求項５の何れか一項に記載のエネルギー管理システムにおいて、
前記プロトコル変換機能付サーバ装置に接続される分岐通信回線は、一線式バス・システムによるマイクロＬＡＮ回線であることを特徴とするエネルギー管理システム。
【発明の詳細な説明】
【技術分野】
【０００１】
本発明は、例えばビル・工場のように分散した複数エリアにまたがるエネルギーの使用状況を統括管理するエネルギー管理システムに関する。
【背景技術】
【０００２】
エネルギー管理は従来より各種行われているが、ここでは工場等の大口の電力需要家を例に挙げて説明する。
契約電力が大口である工場等の需要家では、高圧（６．６ｋＶ）や特別高圧（２２ｋＶ）または超高圧（６６ｋＶ）で主変電所で受電したのち、分散して複数エリアの構内変電所に送電し、各構内変電所からさらに低圧に変換して負荷へ電力を供給している。
【０００３】
これらの設備での使用電力量の計測は、従前では各エリアごとに設置された電力量計を検針員が定期的に読み取って集計する方法がとられていた。
ところが、広範囲に多数設置された電力量計を目視により読み取り、帳票等に記載して集計する作業を、同一時に限られた人数の検針員により実施しようとすると、検針員に多大な負担を強いることになり、検針員の錯誤や注意不足等のため、誤認、誤記の発生が避けられなかった。
【０００４】
これら事情のため、需要家側でも、検針の自動化により検針データ処理の高速化と省力化とを図るシステムが望まれていた。
上記したような課題を知見した本出願人は、鋭意研究を重ね、監視側のメインコンピュータと中継端末・通信回線を介して接続された検針端末とで通信を行い、電力管理を行う電力用自動検針システムを発明して特許出願（特願平１１−９６５３３号）をした。そしてこの特許出願は、特許第３２０２００５号として特許されるに至っている。
【０００５】
【特許文献１】特許第３２０２００５号公報      （段落番号０００５〜００４０，図１〜図１３）
【発明の開示】
【発明が解決しようとする課題】
【０００６】
さて、このような電力用自動検針システムは至便な点から普及の途にあるが、現状よりさらに使い勝手を向上させ、普及を図りたいという要請がある。
例えば、エネルギー消費の増減に影響する温度や湿度という環境情報も考慮してエネルギー管理を行いたいという要請がある。さらに、エネルギー使用量を簡易に確認できるようなシステムも求められている。しかしながら現状ではそのようなシステムは存在しなかった。
【０００７】
そこで、本発明は上記問題点を解決するためになされたものであり、その目的は、広範囲な敷地内における多数建物内各部屋のエネルギー状況を把握できるようにして、きめ細やかなエネルギー管理を実現するようなエネルギー管理システムを提供することにある。
【課題を解決するための手段】
【０００８】
本発明の請求項１に係るエネルギー管理システムは、
監視装置が遠隔地のセンサ装置と通信してエネルギー管理を行うエネルギー管理システムであって、
監視装置に接続される基幹通信回線と、
基幹通信回線に接続されるプロトコル変換機能付サーバ装置と、
プロトコル変換機能付サーバ装置に接続される分岐通信回線と、
分岐通信回線に接続されるセンサ装置と、
を備え、
プロトコル変換機能付サーバ装置は、分岐通信回線を介してセンサ装置からデータを収集して帳票形式および／またはグラフ形式を含むＷｅｂページデータを生成し、監視装置からのリクエストに応じてＷｅｂページデータを基幹通信回線を介して送信することを特徴とする。
【０００９】
また、本発明の請求項２に係るエネルギー管理システムは、
請求項１記載のエネルギー管理システムにおいて、
前記センサ装置は電圧、電流、電力または電力量にかかるデータを出力するセンサ装置であることを特徴とする。
【００１０】
また、本発明の請求項３に係るエネルギー管理システムは、
請求項２に記載のエネルギー管理システムにおいて、
前記Ｗｅｂページデータは、電気エネルギー使用量および／または電気エネルギーに関する評価を示すデータを含むことを特徴とする。
【００１１】
また、本発明の請求項４に係るエネルギー管理システムは、
請求項１〜請求項３の何れか一項に記載のエネルギー管理システムにおいて、
前記センサ装置は温度または室温に係るデータを出力するセンサ装置であることを特徴とする。
【００１２】
また、本発明の請求項５に係るエネルギー管理システムは、
請求項４に記載のエネルギー管理システムにおいて、
前記Ｗｅｂページデータは、温度または室温を示すデータを含むことを特徴とする。
【００１３】
また、本発明の請求項６に係るエネルギー管理システムは、
請求項１〜請求項５の何れか一項に記載のエネルギー管理システムにおいて、
前記プロトコル変換機能付サーバ装置に接続される分岐通信回線は、一線式バス・システムによるマイクロＬＡＮ回線であることを特徴とする。
【発明の効果】
【００１４】
以上のような本発明によれば、広範囲な敷地内における多数建物内各部屋のエネルギー状況を把握できるようにして、きめ細やかなエネルギー管理を実現するようなエネルギー管理システムを提供することができる。
【発明を実施するための最良の形態】
【００１５】
本発明を実施するための最良の形態について図に基づき説明する。
図１は本形態のエネルギー管理システムの構成図である。
エネルギー管理システム１００は、図１で示すように、監視装置１、基幹通信回線となるＬＡＮ（Local Area Network）回線２、プロトコル変換機能付サーバ装置３、分岐通信回線となるマイクロＬＡＮ（Micro Local Area Network）回線４、一または複数のセンサ装置５を備えている。
【００１６】
監視装置１は、全エリア管理部門（コントロールルーム）に設置されたメインコンピュータである。
ＬＡＮ回線２は、通信方式として長距離通信が可能な方式であり、イーサネット（登録商標）による方式（たとえば１０ＢＡＳＥ−Ｔ・１００ＢＡＳＥ−ＴＸ）のＬＡＮが採用される。なお、リピータを用いて距離延長を図るようにしても良い。さらにＦＤＤＩ（Fiber Distributed Data Interface）等を採用したＬＡＮ回線２としても良い。
【００１７】
プロトコル変換機能付サーバ装置３は、基幹通信回線であるＬＡＮ回線２に接続され、さらに、分岐通信回線であるマイクロＬＡＮ回線４が接続される。そして、プロトコル変換機能付サーバ装置３は、ＬＡＮ回線２で用いられるイーサネット（登録商標）による方式と、マイクロＬＡＮ回線４で用いられるマイクロＬＡＮ方式との通信プロトコルを変換する。
ここにマイクロＬＡＮとは、ダラス・セミコンダクタ社が開発した一線式バス・システムである。
【００１８】
マイクロＬＡＮ回線４は、グランド線と信号線とを含むケーブルによる回線であり、一または複数のセンサ装置５を接続して、計測または制御を行えるようにしたシステムである。双方向データ通信と電源の供給とが一本の信号線で行えるため、従来方式に比べて配線を容易に行うことができる。
【００１９】
センサ装置５は、図示しないが各種装置が可能であり、電気系センサ、環境系センサ、制御系センサがある。
電気系センサに係るセンサ装置として、例えば、電流センサがある。電流センサは電流値を検出し、プロトコル変換機能付サーバ装置３からの指令コマンドに応じて電流値に係る計測データを送信する。
また、電気系の他のセンサ装置として、例えば、電圧センサがある。電圧センサは電圧値を検出し、プロトコル変換機能付サーバ装置３からの指令コマンドに応じて電圧値に係る計測データを送信する。
【００２０】
さらにまた、電気系の他のセンサ装置として、例えば、電力センサがある。電力センサは、電流センサと電圧センサとを備えており、電流センサと電圧センサとにより検出される電流値、電圧値とから電力を演算して電力値を検出し、プロトコル変換機能付サーバ装置３からの指令コマンドに応じて電力値に係る計測データを送信する。
さらにまた、電気系の他のセンサ装置として、例えば、電力量センサがある。電力量センサは、電流センサと電圧センサとを備えており、電流センサと電圧センサとにより検出される電流値（Ｉ）、電圧値（Ｖ）およびｃｏｓθ（力率）とを別途設定することにより、電力量（Ｗ）をＷ＝ＶＩｃｏｓθから演算して電力量値を検出する。そして、電力量センサは、プロトコル変換機能付サーバ装置３からの指令コマンドに応じて電力量値に係る計測データを送信する。
【００２１】
環境系センサに係るセンサ装置として、例えば、温度センサがある。温度センサは温度値を検出し、プロトコル変換機能付サーバ装置３からの指令コマンドに応じて温度値に係る計測データを送信する。温度センサは詳しくは半導体熱電対である。この半導体熱電対は、半導体内の温度勾配によるキャリア移動によって起電力を生じる現象を利用して温度を検出し、補償した温度値を出力する。このような半導体熱電対を採用することで、被測定対象の微小温度変化を計測出来るようにしている。
【００２２】
また、環境系の他のセンサ装置として、例えば、湿度センサがある。湿度センサは湿度値を検出し、プロトコル変換機能付サーバ装置３からの指令コマンドに応じて湿度値に係る計測データを送信する。
さらにまた、環境系の他のセンサ装置として、例えば、温湿度センサがある。温湿度センサは、温度センサと湿度センサとを備えており、温度値および湿度値を検出し、プロトコル変換機能付サーバ装置３からの指令コマンドに応じて温度値・湿度値に係る計測データを送信する。
この他にも照度センサ・水位センサ・圧力センサ等を設置することが可能である。
【００２３】
制御系センサに係るセンサ装置として、例えば、ＤＩＯセンサがある。ＤＩＯセンサはＤＯ部とＤＩ部があり、ＤＯ部は、図示しない負荷の接点のＯＮ／ＯＦＦ制御（例えば、開閉部の有接点リレーをオン／オフする）を行い、ＤＩ部がこの接点の状態（例えば、開閉部の有接点リレーのリレートリップ状態）を監視し、プロトコル変換機能付サーバ装置３からの指令コマンドに応じて監視状況を通知する通知データを送信する。
センサ装置５はこれらの組み合わせである。
【００２４】
図２はプロトコル変換機能付サーバ装置のブロック構成図である。
このプロトコル変換機能付サーバ装置３は、図２で示すように、ＬＡＮコネクタ３ａ、端末機器コネクタ３ｂ、センサコネクタ３ｃ、電源コネクタ３ｄ、ＬＡＮインターフェース３ｅ、ＲＳ２３２Ｃインターフェース３ｆ、センサインターフェース３ｇ、電源部３ｈ、ＣＰＵ３ｉ、メモリ３ｊ、ＮＴＳＣインターフェース３ｋ、ＤＩＯインターフェース３ｌ、カメラコネクタ３ｍ、ＤＩＯコネクタ３ｎを備えている。
【００２５】
ＬＡＮコネクタ３ａは、ＬＡＮ回線２であるケーブルと接続するコネクタである。
端末機器コネクタ３ｂは、図示しないパソコンと通信するため、ケーブルと接続するコネクタである。
センサコネクタ３ｃは、マイクロＬＡＮ回線４であるケーブルと接続するコネクタである。
電源コネクタ３ｄは、商用電源から直流電源を得るＡＣアダプタと接続するためのコネクタである。
【００２６】
ＬＡＮインターフェース３ｅは、ＣＰＵ３ｉから送信されるデータを、ＬＡＮ回線２で伝送される規格の通信データとして伝送する。また、ＬＡＮ回線２を介して送信される通信データを、ＣＰＵ３ｉが処理可能なデータとしてＣＰＵ３ｉへ伝送する。
ＲＳ２３２Ｃインターフェース３ｆは、ＲＳ２３２Ｃ方式の通信回線を介して、プロトコル変換機能付サーバ装置３の近くに配置されるパソコンと通信する。
センサインターフェース３ｇは、ＣＰＵ３ｉから送信されるデータを、マイクロＬＡＮ回線４と接続されるセンサ装置５が処理可能な通信データとしてへ伝送する。また、センサ装置５から送信される通信データを、ＣＰＵ３ｉが処理可能なデータとして伝送する。
電源部３ｈは、各種構成に適宜電力を供給する。
【００２７】
ＣＰＵ３ｉは、各種通信の制御、通信データの生成、そしてＷｅｂページデータの生成等を行う。なお詳細については後述する。
メモリ３ｊは、各種データを保存する。なお、図示しないがハードディスクと接続されて、大容量のデータを保存するようにしても良い。
ＮＴＳＣインターフェース３ｋは、拡張機能であり、カメラ（後述）から送信されるＮＴＳＣ信号をＣＰＵ３ｉが処理可能なデータとしてＣＰＵ３ｉへ伝送する。
【００２８】
ＤＩＯインターフェース３ｌは、ＣＰＵ３ｉから出力される制御用のデータを、マイクロＬＡＮ回線４と接続されるセンサ装置５のＤＩＯセンサが処理可能な通信データとして伝送する。この制御用のデータとは、接点入出力機能を有するＤＩＯセンサを通じて外部接点に対してＯＮ・ＯＦＦ制御を行うためのデータである。また、ＤＩＯセンサから出力される通知データをＣＰＵ３ｉが処理可能なデータとしてＣＰＵ３ｉへ伝送する。
カメラコネクタ３ｍは、カメラ用のケーブルと接続するコネクタである。
ＤＩＯコネクタ３ｎは、マイクロＬＡＮ回線４用のケーブルと接続するためのコネクタである。
【００２９】
続いてプロトコル変換機能付サーバ装置３の通信・データ処理について説明する。
プロトコル変換機能付サーバ装置３は、まず、マイクロＬＡＮ回線４に接続されるセンサ装置５と通信する。
個々のセンサ装置５には、それぞれＩＤデータが付与されている。ＩＤデータは装置の指定・特定のために利用される。
【００３０】
このＩＤデータは、４８ビットシリアルナンバー（マイクロＬＡＮを開発したダラスセミコンダクタ社により決定されている）、８ビットファミリーコード（例えば、市販の温度計測部に予め割り当てられた製品名コードであり、ＤＥ１８Ｂ２０というコードである）を含む。
【００３１】
このようなＩＤデータを含むデータがプロトコル変換機能付サーバ装置３からマイクロＬＡＮ回線４へ出力されたならば、これらセンサ装置５はそれぞれＩＤデータを取り込み、それぞれ自らが保持するＥＥＰＲＯＭに登録されたＩＤデータと比較照合し、一致する場合にデータを取り込んでセンサ装置５として機能する。
【００３２】
例えば、温度センサがＩＤデータを含むデータを受信したならば、温度センサの温度計測部は温度を計測して温度に係るデータをプロトコル変換機能付サーバ装置３へ送信することとなる。
また、ＤＩＯセンサがＩＤデータを含むデータを受信したならば、負荷の接点をオン／オフする（例えば、開閉部の有接点リレーをオン／オフする）コマンドを出力し、負荷の接点の状態を監視（例えば、開閉部の有接点リレーのリレートリップ状態の監視）を行い、この監視状態を表すデータをプロトコル変換機能付サーバ装置３へ送信する。
このようにしてプロトコル変換機能付サーバ装置３はデータを収集して、メモリ３ｊ・ハードディスク（図示せず）などに蓄積する。
【００３３】
続いて、以上説明したマイクロＬＡＮの通信方式を踏まえ、プロトコル変換機能付サーバ装置３のデータ収集処理について図を参照しつつ説明する。図３〜図６はＷｅｂページデータを用いてブラウザで表示させた場合の例を示す図である。
図２に示すプロトコル変換機能付サーバ装置３のＣＰＵ３ｉは、所定時刻に各センサ装置５からデータを読み出す。そして、このようなデータを蓄積し、所定時間毎にこれらデータを読み出して、電気系、環境系、制御系等について、視覚的に見やすくしたＷｅｂページデータを生成する。
【００３４】
例えば、図３は環境評価を表示するＷｅｂページである。図３で示すように現在の環境状態および時間別の環境状態を表すものであり、詳しくは図３中の左側で示すように現在の温度・湿度・PMV（Predicted Mean Vote：予想温冷感申告）などであり、また、図３中の右側で示すように時毎の温度・湿度・PMVの挙動を折れ線グラフとして表している。
【００３５】
また、図４は省エネルギー評価を表示するＷｅｂページである。図４で示すようにある場所（会議室Ａ）における所定期間（１日）内の負荷（空調）のエネルギー消費を表すものであり、詳しくは図４中の右側で示すように現在および未来の電力量・基準の電力量などであり、また、図４中の左側で示すように累積電力量の挙動の折れ線グラフや、３０分毎の電力量の棒グラフを表している。
【００３６】
例えば、図５は省エネルギー評価を表示するＷｅｂページである。図５で示すようにある負荷の最大の消費電力を設定し、この消費電力を超えないように負荷に対して電力をＯＮ・ＯＦＦ制御しつつ供給する状態を表示するものであり、詳しくは図５中で示すように設定電力・制御・基準日の電力・指定日の電力などのそれぞれのグラフを表している。
【００３７】
例えば、図６は簡易デマンドを表示するＷｅｂページである。図６で示すようにある時間（図では１０：００〜１０：３０）内の負荷の使用電力を制御を表すものであり、詳しくは図６中で示すように設定電力１，２・予測電力・現在電力などを表示して、設定電力１，２を超えないようにデマンド制御の挙動を表示するというものであり、図６で示すように電力量の挙動の折れ線グラフを分単位で表している。
【００３８】
監視装置１のブラウザを操作して、これらのようなＷｅｂページデータをリクエストすると、プロトコル変換機能付サーバ装置３はハードディスクから収集したデータを読み出し、例えばＣＧＩ処理により、数値を書き換えてその読み出した時刻におけるＨＴＭＬデータ（またはＸＭＬデータなどブラウザに表示できるようなデータ）を生成し、このＨＴＭＬデータをプロトコル変換機能付サーバ装置３が監視装置１へ送信する。監視装置１ではブラウザにＷｅｂページとして表示され、所望時刻のエネルギー管理状況を確認することができる。
Ｗｅｂページデータは、このようにブラウザに表示したときに帳票形式および／またはグラフ形式を表示するようなデータを含むものである。
【００３９】
続いて、本発明の他の形態について図に基づき説明する。
図７は他の形態のエネルギー管理システムの構成図である。
エネルギー管理システムは、図７で示すように、監視装置１、基幹通信回線となるＬＡＮ回線２、プロトコル変換機能付サーバ装置３、分岐通信回線となるマイクロＬＡＮ回線４、センサ装置５に加え、監視カメラ６を備えている。さらに、グロバールネットワーク７を介して外部監視装置８と接続されている。本形態では先に説明した構成は同じ符号を付するとともに重複する説明を省略し、監視カメラ６、グロバールネットワーク７および外部監視装置８について説明する。
【００４０】
監視カメラ６は、図２で示すカメラコネクタ３ｍにケーブルを介して接続され、ＮＴＳＣ信号を出力し、ＮＴＳＣインターフェース３ｋによりＣＰＵ３ｉが処理できる画像データに変換される。これによりセンサ装置５が設置される各種負荷の挙動についての画像を取得する。このような画像データは、先に説明したＷｅｂページデータに画像として添付しても良い。また、画像はメータの数値・指針等を表示するものとしても良い。
【００４１】
グローバルネットワーク７は、例えばインターネットのような回線である。
このようなグローバルネットワーク７に接続されてる外部監視装置８は、例えば、デスクトップ型・ラップトップ型のＰＣなどであったり、または、携帯電話などであり、プロトコル変換機能付サーバ装置３へリクエストしてＷｅｂページデータを取得することができる。このような構成を採用することも可能である。
【００４２】
続いて、本発明の他の形態について図に基づき説明する。
図８は他の形態のエネルギー管理システムの構成図である。
エネルギー管理システムは、図８で示すように、監視装置１、基幹通信回線となるＬＡＮ回線２、プロトコル変換機能付サーバ装置３、分岐通信回線となるマイクロＬＡＮ回線４、センサ装置５に加え、さらに、プロトコル変換装置９、ＬＯＮ回線１０、ＬＯＮノード１１、プロトコル再変換装置１２、マイクロＬＡＮ回線１３、センサ装置１４を備えている。本形態では先に説明した構成は同じ符号を付するとともに重複する説明を省略し、プロトコル変換装置９、ＬＯＮ回線１０、ＬＯＮノード１１、プロトコル再変換装置１２、マイクロＬＡＮ回線１３、センサ装置１４について説明する。
【００４３】
プロトコル変換装置９は、ＬＡＮ回線２とＬＯＮ回線１０との間に介在して接続される。そして、ＬＡＮ回線２で用いられるイーサネット（登録商標）による方式とＬＯＮ回線１０で用いられるＬＯＮＴＡＬＫ方式の通信プロトコルを変換する。
ＬＯＮ回線１０は、制御系装置であるＬＯＮノード１１（後述）と通信可能な通信方式であるＬＯＮＴＡＬＫ（米国Ｅｃｈｅｌｏｎ社の登録商標）方式の通信プロトコル（以下単にＬＯＮＴＡＬＫ方式という）が採用されている。
【００４４】
このＬＯＮＴＡＬＫ方式は、ＬＯＮＷＯＲＫＳ（米国Ｅｃｈｅｌｏｎ社の登録商標）でのネットワークプロトコルである。
ＬＯＮＷＯＲＫＳは、ＬＯＮ（Local Operating Network）を構築するための全てのもの（ハードウェア・ソフトウェア・プロトコル・体制等）を総称する言葉である。ＬＯＮＷＯＲＫＳにはインテリジェント分散制御ネットワーク技術が使われており、従来の集中型制御に比べて分散型制御は配線がシンプルで、故障による影響範囲が小さく、応答速度が速いという利点がある。ＬＯＮＷＯＲＫＳは、分散制御・集中監視に好適である。
ＬＯＮノード１１は、１または複数接続されており、図示しない装置の各種制御および制御状態の計測を行う。
【００４５】
このようなＬＯＮＴＡＬＫ方式の回線を拡張できるようにした。例えば、工場等の施設内にＬＡＮ回線２を張り巡らし、ある建物はこのＬＯＮＴＡＬＫ方式の回線により電力管理ビル・環境・エネルギー管理システム（BEMS：Building and Energy Management System）の構築なども可能とし、拡張性をより高めることができる。
ＢＥＭＳでは、ビルの設備、環境、およびエネルギーを管理するためのシステムであり、例えば、設備機器の監視制御システム、設備管理システム、エネルギー管理システム、課金管理／経営管理システムなどを行う。エネルギー管理の観点からは特に省エネ制御機能が必須である。
【００４６】
プロトコル再変換装置１２は、ＬＯＮ回線１０とマイクロＬＡＮ回線１３との間に介在して接続される。そして、ＬＯＮ回線１０で用いられるＬＯＮＴＡＬＫ方式とマイクロＬＡＮ回線１３で用いられるマイクロＬＡＮ方式との通信プロトコルを変換する。
マイクロＬＡＮ回線１３は、先に説明したマイクロＬＡＮ回線４と同じであり、一線式バス・システムであってグランド線と信号線を含むケーブルである。
センサ装置１４は、先に説明したセンサ装置５と同じであり、電気系・環境系・制御系の各種センサである。
このような構成は、例えばＬＯＮ回線１０の設置後に、さらにマイクロＬＡＮ回線１３を設置したいような場合に利点がある。プロトコル変換機能付サーバ装置３はセンサ装置５に加え、さらに、ＬＯＮノード１１、センサ装置１４からもデータを収集することで、より広範囲にエネルギー管理を行うことができ、このため、拡張性を高めることが可能となる。
【００４７】
以上エネルギー管理システムについて説明した。
このエネルギー管理システムでは、プロトコル変換機能付サーバ装置３がプロトコル変換機能とサーバ機能とを共に有するため、マイクロＬＡＮ回線（さらにはＬＯＮ回線）を通じて収集した各種データを用いてＷｅｂページデータを生成し、ＬＡＮ回線２、さらにはＬＡＮ回線に接続されるインターネット等のグローバルネットワーク７を通じて外部からアクセスできるため、エネルギー管理を容易にすることができる。
【図面の簡単な説明】
【００４８】
【図１】本発明を実施するための最良の形態のエネルギー管理システムの構成図である。
【図２】プロトコル変換機能付サーバ装置のブロック構成図である。
【図３】Ｗｅｂページデータを用いてブラウザで表示させた場合の例を示す図である。
【図４】Ｗｅｂページデータを用いてブラウザで表示させた場合の例を示す図である。
【図５】Ｗｅｂページデータを用いてブラウザで表示させた場合の例を示す図である。
【図６】Ｗｅｂページデータを用いてブラウザで表示させた場合の例を示す図である。
【図７】他の形態のエネルギー管理システムの構成図である。
【図８】他の形態のエネルギー管理システムの構成図である。
【符号の説明】
【００４９】
１００，１００’，１００”：エネルギー管理システム
１：監視装置
２：ＬＡＮ回線
３：プロトコル変換機能付サーバ装置
３ａ：ＬＡＮコネクタ
３ｂ：端末機器コネクタ
３ｃ：センサコネクタ
３ｄ：電源コネクタ
３ｅ：ＬＡＮインターフェース
３ｆ：ＲＳ２３２Ｃインターフェース
３ｇ：センサインターフェース
３ｈ：電源部
３ｉ：ＣＰＵ
３ｊ：メモリ
３ｋ：ＮＴＳＣインターフェース
３ｌ：ＤＩＯインターフェース
３ｍ：カメラコネクタ
３ｎ：ＤＩＯコネクタ
４：マイクロＬＡＮ回線
５：センサ装置
６：監視カメラ
７：グローバルネットワーク
８：外部監視装置
９：プロトコル変換装置
１０：ＬＯＮ回線
１１：ＬＯＮノード
１２：プロトコル再変換装置
１３：マイクロＬＡＮ回線
１４：センサ装置
【図１】
2005073415.tif 000003
【図２】
2005073415.tif 000004
【図３】
2005073415.tif 000005
【図４】
2005073415.tif 000006
【図５】
2005073415.tif 000007
【図６】
2005073415.tif 000008
【図７】
2005073415.tif 000009
【図８】
2005073415.tif 000010